(57)【要約】【課題】人に画像を見せるときに、自分の見せたくない画像を表示部に表示させずに回覧し、プライベートな情報を保護可能な撮像装置およびこの装置の操作方法を提供すること。【解決手段】撮影画像を記録する記録手段と、撮像装置の角度を検出する角度検出手段と、画像を表示する表示手段と、前記記録手段に記録された前記撮影画像が選択されると、前記表示手段に表示するか否かを設定する設定手段と、を備えた撮像装置であって、前記設定手段は前記角度検出手段からの検出値が所定の角度か否かを判断して前記表示手段に表示の可否を設定することを特徴とする。【選択図】図５
2010068144.tif 000002
【特許請求の範囲】
【請求項１】
撮影画像を記録する記録手段と、撮像装置の角度を検出する角度検出手段と、画像を表示する表示手段と、前記記録手段に記録された前記撮影画像について、再生モードにおいて該撮影画像を前記表示手段に表示するか否かを設定する設定手段と、を備えた撮像装置であって、
前記角度検出手段からの検出値が所定の角度である場合に、前記設定手段による設定に基づき前記表示手段に画像を表示するか否かを判断する制御手段を備えたことを特徴とする撮像装置。
【請求項２】
前記撮像装置の角度はロール角またはピッチ角のいずれかであることを特徴とする請求項１に記載の撮像装置。
【請求項３】
前記設定手段は、再生モードにおいて前記撮影画像を前記表示手段に表示するか否かを、前記撮影画像に格納される表示情報に設定することを特徴とする請求項１または２に記載の撮像装置。
【請求項４】
画像ファイルを記録する記録手段と、表示装置の角度を検出する角度検出手段と、画像を表示する表示手段と、前記記録手段に記録された前記画像ファイルについて、再生モードにおいて該画像ファイルを前記表示手段に表示するか否かを設定する設定手段と、を備えた表示装置であって、
前記角度検出手段からの検出値が所定の角度である場合に、前記設定手段による設定に基づき前記表示手段に画像を表示するか否かを判断する制御手段を備えたことを特徴とする表示装置。
【発明の詳細な説明】
【技術分野】
【０００１】
本発明は、撮像装置および表示装置に関する。
【背景技術】
【０００２】
撮像装置本体の傾斜状態を検出し、記録画像が傾いて記録されている場合にその画像を正位置（天地があっている状態を言う）に戻した状態で画像を再生する技術が実用化されている。また、記録画像を他人に見せるときに一連の画像をスライドとし、これをスライドショーとして撮影した画像を順次見せる方法が知られている。
記録画像を多数の人に回覧して見せる場合、記録画像の中に見せたくない画像が含まれていても、それを表示せずにコマ送りを行うことはできないため、その画像を消去する手間が必要であった。現在、記録メディアの大容量化に伴い、カメラなどの撮像装置に大量の写真を保存できるため、撮像装置からＰＣに取り込む回数が減り、撮像装置では、見せたくない画像も記憶手段に残存する場合が多くなっている。よって、見せたくない画像をそのままにしておき、回覧中の操作で見せたくない画像がみられてしまうという問題があった。
このような発明として、たとえば特許文献１には、不特定多数の人への画像回覧時に不要の画像は表示しないようにする目的で、表示を禁止状態にすること開示されている。しかしながら、ロックなどの設定が煩雑であり、この公報に開示されている状態でわざわざ設定するのは面倒であると同時に、ここまでのセキュリティーの設定は不要な場合がある。
【特許文献１】特開２００４−２１５１０３公報
【発明の開示】
【発明が解決しようとする課題】
【０００３】
本発明は、人に画像を見せるときに、自分の見せたくない画像を表示せずに回覧し、プライベートな情報を保護可能な撮像装置およびこの装置の操作方法を提供することを目的とする。
【課題を解決するための手段】
【０００４】
上記の課題を解決するために、請求項１の発明は、撮影画像を記録する記録手段と、撮像装置の角度を検出する角度検出手段と、画像を表示する表示手段と、前記記録手段に記録された前記撮影画像について、再生モードにおいて該撮影画像を前記表示手段に表示するか否かを設定する設定手段と、を備えた撮像装置であって、前記角度検出手段からの検出値が所定の角度である場合に、前記設定手段による設定に基づき前記表示手段に画像を表示するか否かを判断する制御手段を備えた撮像装置であることを特徴とする。
また、請求項２の発明は、請求項１に記載の撮像装置において、前記撮像装置の角度はロール角またはピッチ角のいずれかであることを特徴とする。
また、請求項３の発明は、請求項１または２に記載の撮像装置において、前記設定手段は、再生モードにおいて前記撮影画像を前記表示手段に表示するか否かを、前記撮影画像に格納される表示情報に設定すること特徴とする。
また、請求項４の発明は、画像ファイルを記録する記録手段と、表示装置の角度を検出する角度検出手段と、画像を表示する表示手段と、前記記録手段に記録された前記画像ファイルについて、再生モードにおいて該画像ファイルを前記表示手段に表示するか否かを設定する設定手段と、を備えた表示装置であって、前記角度検出手段からの検出値が所定の角度である場合に、前記設定手段による設定に基づき前記表示手段に画像を表示するか否かを判断する制御手段を備えたことを特徴とする。
【発明の効果】
【０００５】
本発明によれば、再生モードで見られたくない画像を選択し、該画像について表示情報のＯＮ／ＯＦＦの設定を行う。再生時、ＣＰＵがこの情報に基づいて、表示部に該画像を表示するかの判断をする。カメラの向きが所定の角度の場合は、表示情報がＯＮと設定されている画像は表示部に表示しない。よって、宴会中などであるいは雰囲気が盛り上がっているようなシチュエーションにおいても煩雑な操作なしに見せたくない画像を見せずに回覧することができる。
【発明を実施するための最良の形態】
【０００６】
以下、図面を参照して、本発明の撮像装置を実施形態により詳細に説明する。
図１は本発明に係る撮像装置の一実施の形態であるデジタルカメラにおける構成を示す外観上面図であり、図２は外観正面図であり、図３は外観背面図である。
図１に示すように、撮像装置の上面に、レリーズスイッチ（ＳＷ１）、モードダイヤルスイッチ（ＳＷ２）およびジョグダイヤルスイッチ１（ＳＷ３）が配設されている。また、図２に示すように、撮像装置の正面側には、ストロボ発光部１、測距ユニット２、光学ファインダ３および鏡胴ユニット４が設けられている。鏡胴ユニット４は、撮影レンズを含んでいる。
さらに、図３に示すように、撮像装置の背面には、ＬＣＤモニタ５、ジョグダイヤルスイッチ２（ＳＷ４）、ズームＳＷ［ＴＥＬＥ］（ＳＷ５）、ズームＳＷ［ＷＩＤＥ］（ＳＷ６）、上ＳＷ（ＳＷ７）、右ＳＷ（ＳＷ８）、ＯＫ  ＳＷ（ＳＷ９）、左ＳＷ（ＳＷ１０）、下／マクロＳＷ（ＳＷ１１）、ＤＩＳＰＬＡＹ  ＳＷ（ＳＷ１２）、削除ＳＷ（ＳＷ１３）、ＭＥＮＵ  ＳＷ（ＳＷ１４）および電源ＳＷ（ＳＷ１５）が設けられている。また、撮像装置の側面には、電池蓋６が設けられている。また、撮像装置の前面に設けられている光学ファインダ３は、背面においても同位置に設けられ、撮像装置内部を挿通した状態で固定されている。
各スイッチＳＷ１〜ＳＷ１５は、ユーザが操作するスイッチであり、操作キーユニットを構成する。なお、本発明に係る撮像装置としてのデジタルカメラの外観は、必ずしも図１〜３に示す外観に限定されるものではなく、異なる外観を呈していても構わない。
【０００７】
撮像装置としてのデジタルカメラの各部の機能および作用は、公知であるので、その詳細な説明は省略することにし、次に撮像装置内部のシステム構成を図４に基づき図１〜３を参照しながら説明する。
図４は本発明に係る撮像装置の一実施の形態であるデジタルカメラにおけるシステム構成の一部を模式的に示すブロック図である。
図４において、ＣＣＤ（１０１）は、光学画像を光電変換するための固体撮像素子である。Ｆ／Ｅ（フロントエンド）−ＩＣ（１０２）は、ＣＣＤより入力された画像信号に対して、画像ノイズ除去用相関二重サンプリングを行うＣＤＳ（１０２−１）、利得調整を行うＡＧＣ（１０２−２）、ディジタル信号変換を行うＡ／Ｄ（１０２−３）を有し、さらに、ＣＣＤ１信号処理ブロック（１０４−１）より、垂直同期信号、水平同期信号を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
鏡胴ユニット（４）は、被写体の光学画像を取り込むズームレンズ（４−１ａ）、ズーム駆動モータ（４−１ｂ）からなるズーム光学系（４−１）、フォーカスレンズ（４−２ａ）、フォーカス駆動モータ（４−２ｂ）からなるフォーカス光学系（４−２）、絞り（４−３ａ）、絞りモータ（４−３ｂ）からなる絞りユニット（４−３）、メカシャッタ（４−４ａ）、メカシャッタモータ（４−４ｂ）からなるメカシャッタユニット（４−４）、ＣＰＵブロック（１０４−３）によって制御され各モータを駆動するモータドライバ（４−５）を有する。
【０００８】
デジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、垂直同期信号、水平同期信号を供給するＣＣＤ１信号処理ブロック（１０４−１）、フィルタリング処理により、輝度データ・色差データへの変換を行うＣＣＤ２信号処理ブロック（１０４−２）、前述した装置各部の動作を制御するＣＰＵブロック（１０４−３）、前述した制御に必要なデータ等を、一時的に保存するＬｏｃａｌＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードブロック（１０４−１０）を有する。
また、ＣＰＵブロック（１０４−３）は、ストロボ回路１０６を制御することによってストロボ発光部１から照明光を発光させる。さらに、これに加えてＣＰＵブロック（１０４−３）は、測距ユニット２を制御する。
【０００９】
ＳＤＲＡＭ（１０３）は、前述したデジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２制御ブロック（１０４−２）で輝度データ・色差データ変換が行われた状態の「ＹＵＶ画像データ」、ＪＰＥＧＣＯＤＥＣブロック（１０４−７）で、ＪＰＥＧ圧縮された「ＪＰＥＧ画像データ」などである。内蔵メモリ（１０７）は、撮影した画像データを記憶できるようにするためのメモリである。
ＲＯＭ（１１３）には、ＣＰＵブロック（１０４−３）にて解読可能なコードで記述された、制御プログラムや制御するためのパラメータが格納されている。デジタルカメラの電源がオン状態になると、制御プログラムは不図示のメインメモリにロードされ、ＣＰＵブロック（１０４−３）はそのプログラムに従って装置各部の動作を制御するとともに、制御に必要なデータ等を、一時的に、ＲＡＭ（１１４）、及びデジタルスチルカメラプロセッサ（１０４）内にあるＬｏｃａｌ  ＳＲＡＭ（１０４−４）に保存することができる。
ＲＯＭ（１１３）に書き換え可能なフラッシュＲＯＭを使用することで、制御プログラムや制御するためのパラメータを変更することが可能となり、機能のＶｅｒｓｉｏｎＵｐが容易に行える。
【００１０】
ＬＣＤドライバ（１０８）は、後述する表示装置であるＬＣＤモニタ（５）に駆動するドライブ回路であり、ＴＶ信号表示ブロック（１０４−９）から出力されたビデオ信号を、ＬＣＤモニタ（５）に表示するための信号に変換する機能も有している。ＬＣＤモニタ（５）は、撮影前に被写体の状態を監視する、撮影した画像を確認する、メモリカードや前述した内臓メモリ（１０７）に記録した画像データを表示する、撮像装置の傾きを表示する、などを行うためのモニタである。
ビデオＡＭＰ（１０９）は、ＴＶ信号表示ブロック（１０４−９）から出力されたビデオ信号を、７５Ωインピーダンス変換するためのアンプであり、ビデオジャック（１１０）は、ＴＶなどの外部表示機器と接続するためのジャックである。操作Ｋｅｙユニット（ＳＷ１〜１５）は、ユーザが操作するＫｅｙ回路であり、ＳＵＢ−ＣＰＵ（１０５）は、操作Ｋｅｙユニット（ＳＷ１〜１５）などの出力信号をユーザの操作情報として、前述したＣＰＵブロック（１０４−３）に出力する。また、時刻をカウントしているＲＴＣ（Real Time Clock；時間検出手段）（１１２）と通信し、時間を制御している。
【００１１】
加速度センサ（１１１）はプリント回路基板（ＰＣＢ；Printed Circuit Board）上に実装され、水平方向の２軸Ｘ，Ｙのデータあるいは水平方向と垂直方向の２軸Ｘ，Ｚと温度ＴのデータなどをＩ２Ｃブロック（１０４−１１）に出力（シリアル出力）する。デジタルスチルカメラプロセッサ（１０４）は、Ｉ２Ｃブロック（１０４−１１）を介して加速度センサ１１１とシリアル通信し、取得したデータからカメラの傾きを演算し、ＬＣＤモニタ（５）等に表示する。
加速度センサの水平に対する角（ロール角）θは、以下の式を用いて求められる（この演算は例えばＣＰＵブロック（１０４−３）が行う）。
θ［ｄｅｇ］＝（１８０／π）＊ａｒｃｔａｎ（（Ｙ−Ｙ０）／（Ｘ−Ｘ０））  （１）
また加速度センサの垂直に対する角（ピッチ角）φは以下の式を用いて求められる。
φ［ｄｅｇ］＝（１８０／π）＊ａｒｃｔａｎ（（Ｚ−Ｚ０）／（Ｘ−Ｘ０））  （２）
上記式（１）及び（２）中、Ｘ０、Ｙ０、Ｚ０は、それぞれ、重力ゼロ時の加速度センサの出力である。
本発明は、上述した角度検出手段である加速度センサにより所定の角度と検出されるか否かによって、また記録された撮影画像の表示情報がＯＮ／ＯＦＦのいずれに設定されているかによって、制御手段（たとえばデジタルスチルカメラプロセッサ（この中のＣＰＵブロック（１０４−３））により表示部にその撮影画像が表示されないようにする機能を有する撮像装置である。
【００１２】
（第１動作例）
たとえば図５に示すように、撮像装置により撮影された画像の再生モード時に、角度検出手段である加速度センサ（１１１）により、ユーザがカメラをどの方向に傾けて再生しているかという角度が求められる（ステップＳ１）。
この角度を表示部に表示するか否かはユーザが選択できるが、再生時のカメラの傾斜角度を表示部に表示するようにすると、ユーザがわかりやすい。本実施の形態１では、カメラの向きが１８０度（加速度センサにより求められるロール角がたとえば１８０度±１０度の範囲）であった場合（Ｓ１／Ｙｅｓ）、表示情報のＯＮ／ＯＦＦに関わらず全ての画像を再生する（Ｓ１／Ｙｅｓ→Ｓ３）。そのときの画像はメーカーノートとして格納されている角度情報により、正位置に表示される。
例えば０度±６０度の画像であれば１８０度回転して表示とし、９０度±３０度の画像であれば−９０度回転して表示することができる。ここで、メーカーノートに格納される角度情報とは、撮影時に画像に保存される加速度センサから出力される値から算出される角度情報を意味する。
カメラの向きが１８０度±１０度でない場合（Ｓ１／Ｎｏ）、まず表示情報ＯＮかＯＦＦかを確認し（ステップＳ２）、ＯＮであった場合（Ｓ２／Ｙｅｓ）、制御手段により画像を表示しないこととし、表示画面上に、たとえば「表示できない画像です」という警告の表示をする。なお複数画像がある場合は、次の画像に移動してもよい。
【００１３】
前記ステップＳ２において表示情報ＯＦＦ（Ｓ２／Ｎｏ）であれば前述したとおり、画像にメーカーノートとして格納されている角度情報に応じて表示を行う（Ｓ３）。
表示情報ＯＮである画像を表示中に、カメラの向きが１８０±１０度からそれ以外の角度に移行した場合（Ｓ１／Ｎｏ）には、その画像から「表示できない画像です」という警告表示に変化する。逆にカメラの１８０±１０度以外から１８０±１０度に移行した場合は、「表示できない画像です」という警告表示から画像に変化する。または、カメラの電源ＯＮした直後のカメラの向きで表示情報に基づく表示を行うか否かの決定をし、カメラを再起動するまでその状態を保持してもよい。
このようにすることで、回覧時にカメラをどのような方向にされても、表示情報がＯＮに設定された画像は表示されないのでセキュリティレベルがあがる。なお、記録画像の表示情報のＯＮ／ＯＦＦの設定は、ユーザがメニューから行うことができる。ユーザは、再生モードで見られたくない画像を選択し、その表示情報をＯＮに設定する。すると、撮像装置の設定手段（たとえばデジタルスチルカメラプロセッサ（この中のＣＰＵブロック（１０４−３））は、画像のメーカーノートに格納される表示情報をＯＮに設定する。
再生モードが指定され動作したときに、制御手段は、メーカーノートに記憶された表示情報から、表示の可否を判断する。表示情報がＯＮに設定された画像は、再生モードであっても、撮像装置が所定の傾斜角度の場合は、表示部に表示されない。
【００１４】
（第２動作例）
また、図６に示すように、本発明の撮像装置では、図５に示したロール角に替えてピッチ角を用いることもできる（ステップＳ１１）。ピッチ角はＬＣＤ（表示部）を上面になる方向で画像を回覧するのが一般的である。そのため、ピッチ角がＬＣＤを下面となる方向となった場合に前述したカメラのロール角が１８０度であった場合と同様にし、ピッチ角がＬＣＤを上面となる方向となった場合に前述したカメラのロール角が１８０度以外である場合と同様にすることで見られたくない画像を見られることなく回覧可能となる（図６参照）。
本発明では、上述したように、撮像装置（たとえばカメラ）の向きをＬＣＤ（表示部）が上面になる方向、即ちカメラのピッチ角を０＋９０°にして再生をすると、表示情報ＯＮとなっている画像は表示されない（図２において、レリーズスイッチが上になる状態でカメラを置いた状態を、ピッチ角０°とする）。しかし、カメラの向きをＬＣＤが下面となる方向やＬＣＤが上面とならない方向、即ちカメラのピッチ角を０＋９０°以外の角度にして再生すると、画像のメーカーノートの表示情報がＯＮでもＯＦＦでも画像はＬＣＤに表示される。ピッチ角が、ＬＣＤが上面となる方向にして再生を行うと、表示情報がＯＮの画像は表示されないため、宴会などのようなシチュエーションにおいて煩雑な操作なしに、撮像装置の表示部で見せたくない画像を見せずに多数の人に回覧可能とすることができる。
【００１５】
また上記した各動作例において、画像ファイルの表示情報がＯＮの時に画像を表示部（モニタ）に表示しない設定角度としてロール角度が１８０度（具体的には所定範囲：１８０±１０度）の場合や、ピッチ角度が０〜９０度の範囲である場合を挙げて説明したが、これらの数値の角度に本発明が限定されるものではない。本発明では、ユーザがこの設定角度を任意の数値に設定可能である。
また、上記の実施例においては、撮像装置について説明したが、本発明は撮像装置に限定されるものではなく、表示装置にも適用可能である。表示装置では、撮像装置により撮影・記録された画像を取り込んで記録手段に記録し、角度検出手段により表示装置の角度を検出し、記録手段に記録された画像の表示情報のＯＮ／ＯＦＦを設定し、画像再生時に角度検出手段が所定の角度を検出した場合に、表示情報がＯＮに設定されている画像は、表示手段に表示しないとすることができる。
【図面の簡単な説明】
【００１６】
【図１】本発明に係る撮像装置の一実施の形態であるデジタルカメラにおける構成を示す外観上面図である。
【図２】本発明に係る撮像装置の一実施の形態であるデジタルカメラにおける構成を示す外観正面図である。
【図３】本発明に係る撮像装置の一実施の形態であるデジタルカメラにおける構成を示す外観背面図である。
【図４】本発明に係る撮像装置の一実施の形態であるデジタルカメラにおけるシステム構成の一部を模式的に示すブロック図である。
【図５】本発明に係る撮像装置による再生の可否を設定するためのフローを示すフローチャートである。
【図６】本発明に係る撮像装置による再生の可否を設定するための他のフローを示すフローチャートである。
【符号の説明】
【００１７】
１  ストロボ発光部、２  測距ユニット、３  光学ファインダ、４  銅鏡、５  ＬＣＤモニタ、６  電池蓋、１０１  ＣＣＤ、１０２  Ｆ／Ｅ−ＩＣ、１０３  ＳＤＲＡＭ、１０４  デジタルスチルカメラプロセッサ、１０５  ＳＵＢ−ＣＰＵ、１０６  ストロボ回路、１０７  内蔵メモリ、１０８  ＬＣＤドライバ、１０９  ビデオＡＭＰ、１１０  ビデオジャック、１１１  加速度センサ（角度検出手段）、１１２  ＲＴＣ（Real Time Clock）、１１３  ＲＯＭ、１１４  ＲＡＭ、ＳＷ１  レリーズスイッチ、ＳＷ２  モードダイヤル、ＳＷ３  ジョグダイヤル１、ＳＷ４  ジョグダイヤル２、ＳＷ５  ズームＳＷ［ＴＥＬＥ］、ＳＷ６  ズームＳＷ［ＷＩＤＥ］、ＳＷ７  上ＳＷ、ＳＷ８  右ＳＷ、ＳＷ９  ＯＫ  ＳＷ、ＳＷ１０  左ＳＷ、ＳＷ１１  下ＳＷ／マクロＳＷ、ＳＷ１２  ＤＩＳＰＬＡＹ  ＳＷ、ＳＷ１３  削除ＳＷ、ＳＷ１４  ＭＥＮＵ  ＳＷ、ＳＷ１５  電源ＳＷ
【図１】
2010068144.tif 000003
【図２】
2010068144.tif 000004
【図３】
2010068144.tif 000005
【図４】
2010068144.tif 000006
【図５】
2010068144.tif 000007
【図６】
2010068144.tif 000008